(57)【要約】【課題】カートリッジ寿命等の仕様の異なる各種浄水器に後付けで簡単に装着することができ、ほぼ全ての浄活水器に対応できると共に、浄活水器の積算流量等を正確に測定して仕様に応じたカートリッジの残寿命を的確に表示することができる流量計付切替コック等の提供。【解決手段】流量計付切替コックは、浄活水流入口１１１と、浄活水吐出口１１２と、浄活水通路１１３とを有する本体ケース１１０と、本体ケース１１０の浄活水通路１１３に配置され、浄活水通路１１３を通過する浄活水の積算流量を計測する流量計ユニット１２０とを備える。マイコン１５１及び操作部１５２により、浄活水器のカートリッジの総ろ過流量を設定する。マイコン１５１により、設定総ろ過流量に対する積算流量の割合に応じて、浄活水器のカートリッジの残寿命を演算する。液晶表示部１５４により、浄活水器のカートリッジの残寿命を表示する。【選択図】  図１
2004183247.tif 000002
【特許請求の範囲】
【請求項１】
浄活水器の浄活水供給口に接続される浄活水流入口と、浄活水を吐出する浄活水吐出口と、前記浄活水流入口と前記浄活水吐出口とを連通する浄活水通路とを有する本体ケースと、
前記本体ケースの浄活水通路に配置され、前記浄活水通路を通過する浄活水の積算流量を計測する流量計ユニットと、
前記本体ケースに一体的に設けられ、前記浄活水器のカートリッジの総ろ過流量を設定する設定手段と、
前記本体ケースに一体的に設けられ、前記設定総ろ過流量に対する前記積算流量の割合に応じて、前記浄活水器のカートリッジの残寿命を演算する演算手段と、
前記本体ケースに一体的に設けられ、前記演算手段により算出した前記浄活水器のカートリッジの残寿命を表示する表示手段と
を備えることを特徴とする流量計付吐水装置。
【請求項２】
浄活水器の浄活水供給口に接続される浄活水流入口と、浄活水を吐出する浄活水吐出口と、前記浄活水流入口と前記浄活水吐出口とを連通する浄活水通路とを有する本体ケースと、
前記浄活水器のカートリッジの使用限界時間を設定する設定手段と、
前記本体ケースに一体的に設けられ、前記設定使用限界時間に対する前記カートリッジの使用経過時間の割合に応じて、前記浄活水器のカートリッジの残寿命を演算する演算手段と、
前記本体ケースに一体的に設けられ、前記演算手段により算出した前記浄活水器のカートリッジの残寿命を表示する表示手段と
を備えることを特徴とする流量計付吐水装置。
【請求項３】
浄活水器の浄活水供給口に接続される浄活水流入口と、浄活水を吐出する浄活水吐出口と、前記浄活水流入口と前記浄活水吐出口とを連通する浄活水通路とを有する本体ケースと、
前記本体ケースの浄活水通路に配置され、前記浄活水通路を通過する浄活水の積算流量を計測する流量計ユニットと、
前記本体ケースに一体的に設けられ、前記浄活水器のカートリッジの総ろ過流量を設定する設定手段と、
前記浄活水器のカートリッジの使用限界時間を設定する設定手段と、
前記本体ケースに一体的に設けられ、前記設定総ろ過流量に対する前記積算流量の割合と、前記設定使用限界時間に対する前記カートリッジの使用経過時間の割合とからなる２つの条件のうち、少なくともいずれかの条件に応じて、前記浄活水器のカートリッジの残寿命を演算する演算手段と、
前記本体ケースに一体的に設けられ、前記演算手段により算出した前記浄活水器のカートリッジの残寿命を表示する表示手段と
を備えることを特徴とする流量計付吐水装置。
【請求項４】
浄活水器の浄活水供給口に接続される浄活水流入口と、浄活水を吐出する浄活水吐出口と、前記浄活水流入口と前記浄活水吐出口とを連通する浄活水通路とを有する本体ケースと、
前記本体ケースの浄活水通路に配置され、前記浄活水通路を通過する浄活水の積算流量を計測する流量計ユニットと、
前記本体ケースに一体的に設けられ、前記浄活水器のカートリッジの総ろ過流量を設定する設定手段と、
前記浄活水器のカートリッジの使用限界時間を設定する設定手段と、
前記本体ケースに一体的に設けられ、前記設定総ろ過流量に対する前記積算流量の割合に応じて前記浄活水器のカートリッジの残寿命を演算する流量モードと、前記設定使用限界時間に対する前記カートリッジの使用経過時間の割合に応じて前記浄活水器のカートリッジの残寿命を演算する時間モードと、前記設定総ろ過流量に対する前記積算流量の割合と、前記設定使用限界時間に対する前記カートリッジの使用経過時間の割合とからなる２つの条件のうち、割合の多い方の条件を適用して前記浄活水器のカートリッジの残寿命を演算する併用モードとを設定モードとして選択するモード選択手段と、
前記選択手段により選択された設定モードにしたがって前記浄活水器のカートリッジの残寿命を演算する演算手段と、
前記本体ケースに一体的に設けられ、前記演算手段により算出した前記浄活水器のカートリッジの残寿命を表示する表示手段と
を備えることを特徴とする流量計付吐水装置。
【請求項５】
前記流量計ユニットは、
前記浄活水通路内に同軸上に配置され、前記浄活水通路を軸方向に通過する浄活水の流量に応じた回転速度で回転する回転体と、
前記回転体の回転を検出するセンサと、
前記浄活水通路内において前記回転体の上流側に密接して一体的に配置され、前記回転体に流入する浄活水を整流する整流手段と
を備えることを特徴とする請求項１乃至４のいずれか１項記載の流量計付吐水装置。
【請求項６】
蛇口に接続される原水流入口と、原水を吐出する原水吐出口と、浄活水器の原水流入口に接続される原水供給口とを有するコック本体と、
前記コック本体の内部空間に装着され、前記コック本体の内部空間に、前記コック本体の前記原水流入口と前記原水吐出口とを連通する原水吐出通路と、前記原水流入口と前記原水供給口とを連通する原水供給通路とを選択的に形成自在な通路切替手段と、
前記コック本体に隣接して一体的に設けられ、前記浄活水器の浄活水供給口に接続される浄活水流入口と、浄活水を吐出する浄活水吐出口と、前記浄活水流入口と前記浄活水吐出口とを連通する浄活水通路とを有する本体ケースと、
前記本体ケースの浄活水通路に配置され、前記浄活水通路を通過する浄活水の積算流量を計測する流量計ユニットと、
前記本体ケースに一体的に設けられ、前記浄活水器のカートリッジの総ろ過流量を設定する設定手段と、
前記本体ケースに一体的に設けられ、前記設定総ろ過流量に対する前記積算流量の割合に応じて、前記浄活水器のカートリッジの残寿命を演算する演算手段と、
前記本体ケースに一体的に設けられ、前記演算手段により算出した前記浄活水器のカートリッジの残寿命を表示する表示手段と
を備えることを特徴とする流量計付切替コック。
【請求項７】
前記流量計ユニットは、
前記浄活水通路内に同軸上に配置され、前記浄活水通路を軸方向に通過する浄活水の流量に応じた回転速度で回転する回転体と、
前記回転体の回転を検出するセンサと、
前記浄活水通路内において前記回転体の上流側に密接して一体的に配置され、前記回転体に流入する浄活水を整流する整流手段と
を備えることを特徴とする請求項６記載の流量計付切替コック。
【請求項８】
浄活水器の浄活水供給口に接続される浄活水流入口と、浄活水を吐出する浄活水吐出口と、前記浄活水流入口と前記浄活水吐出口とを連通する浄活水通路とを有する本体ケースと、
前記本体ケースの浄活水通路に配置され、前記浄活水通路を通過する浄活水の積算流量を計測する流量計ユニットと、
前記本体ケースに一体的に設けられ、前記浄活水器のカートリッジの総ろ過流量を設定する設定手段と、
前記本体ケースに一体的に設けられ、前記設定総ろ過流量に対する前記積算流量の割合に応じて、前記浄活水器のカートリッジの残寿命を演算する演算手段と、
前記本体ケースに一体的に設けられ、前記演算手段により算出した前記浄活水器のカートリッジの残寿命を表示する表示手段と、
前記本体ケースの浄活水流入口を前記浄活水器の浄活水供給口に接続する取付具と、
前記本体ケースの浄活水吐出口に接続されるフレキ吐水管と
を備えることを特徴とする流量計付フレキ吐水管。
【請求項９】
浄活水器の浄活水供給口に接続される浄活水流入口と、浄活水を吐出する浄活水吐出口と、前記浄活水流入口と前記浄活水吐出口とを連通する浄活水通路とを有する本体ケースと、
前記本体ケースの浄活水通路に配置され、前記浄活水通路を通過する浄活水の積算流量を計測する流量計ユニットと、
前記本体ケースに一体的に設けられ、前記浄活水器のカートリッジの総ろ過流量を設定する設定手段と、
前記本体ケースに一体的に設けられ、前記設定総ろ過流量に対する前記積算流量の割合に応じて、前記浄活水器のカートリッジの残寿命を演算する演算手段と、
前記本体ケースに一体的に設けられ、前記演算手段により算出した前記浄活水器のカートリッジの残寿命を表示する表示手段と、
前記本体ケースの浄活水流入口を前記浄活水器の浄活水供給口から延びるフレキ吐水管に接続するアダプタと、
前記本体ケースの浄活水吐出口に接続されるフレキ吐水管と
を備えることを特徴とする流量計付フレキ吐水管。
【請求項１０】
前記流量計ユニットは、
前記浄活水通路内に同軸上に配置され、前記浄活水通路を軸方向に通過する浄活水の流量に応じた回転速度で回転する回転体と、
前記回転体の回転を検出するセンサと、
前記浄活水通路内において前記回転体の上流側に密接して一体的に配置され、前記回転体に流入する浄活水を整流する整流手段と
を備えることを特徴とする請求項８または９記載の流量計付フレキ吐水管。
【請求項１１】
蛇口に接続される原水流入口と、浄活水器の原水流入口に接続される原水供給口と、前記原始流入口と前記原水供給口とを連通する原水通路とを有する本体ケースと、
前記本体ケースの原水通路に配置され、前記原水通路を通過する原水の積算流量を計測する流量計ユニットと、
前記本体ケースに一体的に設けられ、前記浄活水器のカートリッジの総ろ過流量を設定する設定手段と、
前記本体ケースに一体的に設けられ、前記設定総ろ過流量に対する前記積算流量の割合に応じて、前記浄活水器のカートリッジの残寿命を演算する演算手段と、
前記本体ケースに一体的に設けられ、前記演算手段により算出した前記浄活水器のカートリッジの残寿命を表示する表示手段と、
前記本体ケースの原水供給口を前記浄活水器の原水流入口に接続する接続具と、
前記本体ケースの原水流入口を前記蛇口に接続する接続具と
を備えることを特徴とする浄活水器用流量計。
【請求項１２】
更に、前記本体ケースの原水通路の上流側に配置され、前記原水通路に流入する原水の異物をろ過するストレーナを備える請求項１１記載の浄活水器用流量計。
【請求項１３】
前記流量計ユニットは、
前記浄活水通路内に同軸上に配置され、前記浄活水通路を軸方向に通過する浄活水の流量に応じた回転速度で回転する回転体と、
前記回転体の回転を検出するセンサと、
前記浄活水通路内において前記回転体の上流側に密接して一体的に配置され、前記回転体に流入する浄活水を整流する整流手段と
を備えることを特徴とする請求項１１または１２記載の浄活水器用流量計。
【請求項１４】
シンクの下方に収容した蛇口に接続される原水流入管と、
前記原水流入管からの原水を、シンクの下方に配置した浄活水器の原水流入口に接続する原水供給管と、
前記浄活水器の浄活水供給口に接続される浄活水供給管と、
前記原水流入管の先端部、前記原水供給管の基端部及び前記浄活水供給管の端部を収容すると共に、前記原水流入管からの原水及び前記浄活水供給管からの浄活水を選択的に吐出する吐水管を有する切替コック部と、
前記切替コック部に装着され、前記切替コック部の内部空間に、前記原水流入管と前記吐水管とを連通する原水吐出通路と、前記原水流入管と前記原水供給管とを連通する原水供給通路とを選択的に形成すると共に、前記原水供給通路を形成したときに前記浄活水供給管と前記吐水管とを連通する浄活水通路を形成する通路切替手段と、
前記切替コック部の浄活水通路に連通する流路上に配置され、前記浄活水通路を通過する浄活水の積算流量を計測する流量計ユニットと、
前記切替コック部に一体的に設けられ、前記浄活水器のカートリッジの総ろ過流量を設定する設定手段と、
前記切替コック部に一体的に設けられ、前記設定総ろ過流量に対する前記積算流量の割合に応じて、前記浄活水器のカートリッジの残寿命を演算する演算手段と、
前記切替コック部に一体的に設けられ、前記演算手段により算出した前記浄活水器のカートリッジの残寿命を表示する表示手段と
を備えることを特徴とするアンダーシンク型浄活水器用流量計付水栓。
【請求項１５】
前記流量計ユニットは、
前記浄活水通路内に同軸上に配置され、前記浄活水通路を軸方向に通過する浄活水の流量に応じた回転速度で回転する回転体と、
前記回転体の回転を検出するセンサと、
前記浄活水通路内において前記回転体の上流側に密接して一体的に配置され、前記回転体に流入する浄活水を整流する整流手段と
を備えることを特徴とする請求項１４記載のアンダーシンク型浄活水器用流量計付水栓。
【請求項１６】
円筒状をなす羽根車ケースと、
前記羽根車ケース内に同軸上に収容配置され、前記羽根車ケース内を軸方向に通過する流体の流量に応じた回転速度で、前記羽根車ケースの軸を中心として回転する羽根車と、
前記羽根車の周方向一部に設けた磁性部と、
前記羽根車ケースの上流側に一体的に装着される円筒状をなし、内部を通過する流体を整流して前記羽根車に供給する整流器と
を備えることを特徴とする流量計ユニット。
【発明の詳細な説明】
【０００１】
【発明の属する技術分野】
本発明は、浄活水器の実際の積算流量を正確に計測してカートリッジの残寿命を的確に表示することができる流量計付吐水装置、流量計付切替コック、流量計付フレキ吐水管、浄活水器用流量計、アンダーシンク型浄活水器用流量計付水栓、及び、これらの流量計に好適に使用される流量計ユニットに関する。
【０００２】
【従来の技術】
浄水器のカートリッジの残寿命を表示する装置としては、例えば、特許文献１や特許文献２に記載の技術がある。
【特許文献１】
特開２００１−３２３４０号公報
【特許文献２】
特開平１１−６５６号公報
【０００３】
特許文献１に記載の技術は、給水路に接続され、管路の開閉を行う電子水栓が取り付けられて原水が通過する給水管と、給水管から導入された原水を浄水にする浄水カートリッジが装着された浄水器と、浄水器からの浄水が通過する排水管に接続されて浄水が吐出される吐水管が設けられるとともに浄水の吐出量を測定する流量センサが内蔵された本体部と、電子水栓による通水・止水を操作する操作手段と、流量センサの信号および操作手段の操作に従って電子水栓を制御し、予め設定された積算流量からの浄水カートリッジの寿命および流量センサに検知された吐水流量の低下による浄水カートリッジの寿命を報知する制御手段とを有する。
【０００４】
特許文献２に記載の技術は、濾過カートリッジと、濾過カートリッジ内を流れた水の積算流量を算出する積算流量算出手段と、積算流量算出手段により算出された積算流量と濾過カートリッジの基準寿命到達積算流量とを比較する比較手段とを備えた浄水器において、濾過カートリッジに設けられ、濾過カートリッジの寿命到達積算流量を識別可能とする寿命到達積算流量識別部と、寿命到達積算流量識別部からのデータを基準寿命到達積算流量として比較手段に供給する寿命到達積算流量設定部とを備える。
【０００５】
【発明が解決しようとする課題】
しかし、特許文献１に記載の技術は、浄水器を一体的に組み込んだ特定構造の水栓装置に適用されるものであり、浄水カートリッジの寿命を表示するための構造（制御手段等）は、かかる水栓装置専用のものとして構成されている。また、特許文献２に記載の技術においても、浄水カートリッジの寿命を表示するための構造（濾材寿命計測器）は、特定構造の浄水器専用のものとして構成されている。更に、いずれの特許文献にも、浄水器のカートリッジの残寿命を表示する装置の詳細については開示も示唆もない。
【０００６】
そこで、本発明は、カートリッジ寿命等の仕様の異なる各種浄活水器に後付けで簡単に装着することができ、ほぼ全ての浄活水器に対応できると共に、浄活水器の積算流量等の各種パラメータを正確に測定して仕様に応じたカートリッジの残寿命を的確に表示することができる流量計付吐水装置、流量計付切替コック、流量計付フレキ吐水管、浄活水器用流量計、アンダーシンク型浄活水器用流量計付水栓、及び、これらの流量計に好適に使用される流量計ユニットの提供を課題とする。
【０００７】
【課題を解決するための手段】
請求項１に係る流量計付吐水装置は、浄活水器の浄活水供給口に接続される浄活水流入口と、浄活水を吐出する浄活水吐出口と、前記浄活水流入口と前記浄活水吐出口とを連通する浄活水通路とを有する本体ケースと、前記本体ケースの浄活水通路に配置され、前記浄活水通路を通過する浄活水の積算流量を計測する流量計ユニットと、前記本体ケースに一体的に設けられ、前記浄活水器のカートリッジの総ろ過流量を設定する設定手段と、前記本体ケースに一体的に設けられ、前記設定総ろ過流量に対する前記積算流量の割合に応じて、前記浄活水器のカートリッジの残寿命を演算する演算手段と、前記本体ケースに一体的に設けられ、前記演算手段により算出した前記浄活水器のカートリッジの残寿命を表示する表示手段とを備える。
【０００８】
請求項２に係る流量計付吐水装置は、浄活水器の浄活水供給口に接続される浄活水流入口と、浄活水を吐出する浄活水吐出口と、前記浄活水流入口と前記浄活水吐出口とを連通する浄活水通路とを有する本体ケースと、前記浄活水器のカートリッジの使用限界時間を設定する設定手段と、前記本体ケースに一体的に設けられ、前記設定使用限界時間に対する前記カートリッジの使用経過時間の割合に応じて、前記浄活水器のカートリッジの残寿命を演算する演算手段と、前記本体ケースに一体的に設けられ、前記演算手段により算出した前記浄活水器のカートリッジの残寿命を表示する表示手段とを備える。
【０００９】
請求項３に係る流量計付吐水装置は、浄活水器の浄活水供給口に接続される浄活水流入口と、浄活水を吐出する浄活水吐出口と、前記浄活水流入口と前記浄活水吐出口とを連通する浄活水通路とを有する本体ケースと、前記本体ケースの浄活水通路に配置され、前記浄活水通路を通過する浄活水の積算流量を計測する流量計ユニットと、前記本体ケースに一体的に設けられ、前記浄活水器のカートリッジの総ろ過流量を設定する設定手段と、前記浄活水器のカートリッジの使用限界時間を設定する設定手段と、前記本体ケースに一体的に設けられ、前記設定総ろ過流量に対する前記積算流量の割合と、前記設定使用限界時間に対する前記カートリッジの使用経過時間の割合とからなる２つの条件のうち、少なくともいずれかの条件に応じて、前記浄活水器のカートリッジの残寿命を演算する演算手段と、前記本体ケースに一体的に設けられ、前記演算手段により算出した前記浄活水器のカートリッジの残寿命を表示する表示手段とを備える。
【００１０】
請求項４に係る流量計付吐水装置は、浄活水器の浄活水供給口に接続される浄活水流入口と、浄活水を吐出する浄活水吐出口と、前記浄活水流入口と前記浄活水吐出口とを連通する浄活水通路とを有する本体ケースと、前記本体ケースの浄活水通路に配置され、前記浄活水通路を通過する浄活水の積算流量を計測する流量計ユニットと、前記本体ケースに一体的に設けられ、前記浄活水器のカートリッジの総ろ過流量を設定する設定手段と、前記浄活水器のカートリッジの使用限界時間を設定する設定手段と、前記本体ケースに一体的に設けられ、前記設定総ろ過流量に対する前記積算流量の割合に応じて前記浄活水器のカートリッジの残寿命を演算する流量モードと、前記設定使用限界時間に対する前記カートリッジの使用経過時間の割合に応じて前記浄活水器のカートリッジの残寿命を演算する時間モードと、前記設定総ろ過流量に対する前記積算流量の割合と、前記設定使用限界時間に対する前記カートリッジの使用経過時間の割合とからなる２つの条件のうち、割合の多い方の条件を適用して前記浄活水器のカートリッジの残寿命を演算する併用モードとを設定モードとして選択するモード選択手段と、前記選択手段により選択された設定モードにしたがって前記浄活水器のカートリッジの残寿命を演算する演算手段と、前記本体ケースに一体的に設けられ、前記演算手段により算出した前記浄活水器のカートリッジの残寿命を表示する表示手段と
を備える。
【００１１】
請求項５に係る流量計付吐水装置は、請求項１乃至４のいずれかの構成において、前記流量計ユニットが、前記浄活水通路内に同軸上に配置され、前記浄活水通路を軸方向に通過する浄活水の流量に応じた回転速度で回転する回転体と、前記回転体の回転を検出するセンサと、前記浄活水通路内において前記回転体の上流側に密接して一体的に配置され、前記回転体に流入する浄活水を整流する整流手段とを備える。
【００１２】
請求項６に係る流量計付切替コックは、蛇口に接続される原水流入口と、原水を吐出する原水吐出口と、浄活水器の原水流入口に接続される原水供給口とを有するコック本体と、前記コック本体の内部空間に装着され、前記コック本体の内部空間に、前記コック本体の前記原水流入口と前記原水吐出口とを連通する原水吐出通路と、前記原水流入口と前記原水供給口とを連通する原水供給通路とを選択的に形成自在な通路切替手段と、前記コック本体に隣接して一体的に設けられ、前記浄活水器の浄活水供給口に接続される浄活水流入口と、浄活水を吐出する浄活水吐出口と、前記浄活水流入口と前記浄活水吐出口とを連通する浄活水通路とを有する本体ケースと、前記本体ケースの浄活水通路に配置され、前記浄活水通路を通過する浄活水の積算流量を計測する流量計ユニットと、前記本体ケースに一体的に設けられ、前記浄活水器のカートリッジの総ろ過流量を設定する設定手段と、前記本体ケースに一体的に設けられ、前記設定総ろ過流量に対する前記積算流量の割合に応じて、前記浄活水器のカートリッジの残寿命を演算する演算手段と、前記本体ケースに一体的に設けられ、前記演算手段により算出した前記浄活水器のカートリッジの残寿命を表示する表示手段とを備える。
【００１３】
請求項７に係る流量計付切替コックは、請求項６の構成において、前記流量計ユニットが、前記浄活水通路内に同軸上に配置され、前記浄活水通路を軸方向に通過する浄活水の流量に応じた回転速度で回転する回転体と、前記回転体の回転を検出するセンサと、前記浄活水通路内において前記回転体の上流側に密接して一体的に配置され、前記回転体に流入する浄活水を整流する整流手段とを備える。
【００１４】
請求項８に係る流量計付フレキ吐水管は、浄活水器の浄活水供給口に接続される浄活水流入口と、浄活水を吐出する浄活水吐出口と、前記浄活水流入口と前記浄活水吐出口とを連通する浄活水通路とを有する本体ケースと、前記本体ケースの浄活水通路に配置され、前記浄活水通路を通過する浄活水の積算流量を計測する流量計ユニットと、前記本体ケースに一体的に設けられ、前記浄活水器のカートリッジの総ろ過流量を設定する設定手段と、前記本体ケースに一体的に設けられ、前記設定総ろ過流量に対する前記積算流量の割合に応じて、前記浄活水器のカートリッジの残寿命を演算する演算手段と、前記本体ケースに一体的に設けられ、前記演算手段により算出した前記浄活水器のカートリッジの残寿命を表示する表示手段と、前記本体ケースの浄活水流入口を前記浄活水器の浄活水供給口に接続する取付具と、前記本体ケースの浄活水吐出口に接続されるフレキ吐水管とを備える。
【００１５】
請求項９に係る流量計付フレキ吐水管は、浄活水器の浄活水供給口に接続される浄活水流入口と、浄活水を吐出する浄活水吐出口と、前記浄活水流入口と前記浄活水吐出口とを連通する浄活水通路とを有する本体ケースと、前記本体ケースの浄活水通路に配置され、前記浄活水通路を通過する浄活水の積算流量を計測する流量計ユニットと、前記本体ケースに一体的に設けられ、前記浄活水器のカートリッジの総ろ過流量を設定する設定手段と、前記本体ケースに一体的に設けられ、前記設定総ろ過流量に対する前記積算流量の割合に応じて、前記浄活水器のカートリッジの残寿命を演算する演算手段と、前記本体ケースに一体的に設けられ、前記演算手段により算出した前記浄活水器のカートリッジの残寿命を表示する表示手段と、前記本体ケースの浄活水流入口を前記浄活水器の浄活水供給口から延びるフレキ吐水管に接続するアダプタと、前記本体ケースの浄活水吐出口に接続されるフレキ吐水管とを備える。
【００１６】
請求項１０に係る流量計付フレキ吐水管は、請求項８または９の構成において、前記流量計ユニットは、前記浄活水通路内に同軸上に配置され、前記浄活水通路を軸方向に通過する浄活水の流量に応じた回転速度で回転する回転体と、前記回転体の回転を検出するセンサと、前記浄活水通路内において前記回転体の上流側に密接して一体的に配置され、前記回転体に流入する浄活水を整流する整流手段とを備える。
【００１７】
請求項１１に係る浄活水器用流量計は、蛇口に接続される原水流入口と、浄活水器の原水流入口に接続される原水供給口と、前記原始流入口と前記原水供給口とを連通する原水通路とを有する本体ケースと、前記本体ケースの原水通路に配置され、前記原水通路を通過する原水の積算流量を計測する流量計ユニットと、前記本体ケースに一体的に設けられ、前記浄活水器のカートリッジの総ろ過流量を設定する設定手段と、前記本体ケースに一体的に設けられ、前記設定総ろ過流量に対する前記積算流量の割合に応じて、前記浄活水器のカートリッジの残寿命を演算する演算手段と、前記本体ケースに一体的に設けられ、前記演算手段により算出した前記浄活水器のカートリッジの残寿命を表示する表示手段と、前記本体ケースの原水供給口を前記浄活水器の原水流入口に接続する接続具と、前記本体ケースの原水流入口を前記蛇口に接続する接続具とを備える。
【００１８】
請求項１２に係る浄活水器用流量計は、請求項１１の構成において、更に、前記本体ケースの原水通路の上流側に配置され、前記原水通路に流入する原水の異物をろ過するストレーナを備える。
【００１９】
請求項１３に係る浄活水器用流量計は、請求項１１または１２の構成において、前記流量計ユニットが、前記浄活水通路内に同軸上に配置され、前記浄活水通路を軸方向に通過する浄活水の流量に応じた回転速度で回転する回転体と、前記回転体の回転を検出するセンサと、前記浄活水通路内において前記回転体の上流側に密接して一体的に配置され、前記回転体に流入する浄活水を整流する整流手段とを備える。
【００２０】
請求項１４に係るアンダーシンク型浄活水器用流量計付水栓は、シンクの下方に収容した蛇口に接続される原水流入管と、前記原水流入管からの原水を、シンクの下方に配置した浄活水器の原水流入口に接続する原水供給管と、前記浄活水器の浄活水供給口に接続される浄活水供給管と、前記原水流入管の先端部、前記原水供給管の基端部及び前記浄活水供給管の端部を収容すると共に、前記原水流入管からの原水及び前記浄活水供給管からの浄活水を選択的に吐出する吐水管を有する切替コック部と、前記切替コック部に装着され、前記切替コック部の内部空間に、前記原水流入管と前記吐水管とを連通する原水吐出通路と、前記原水流入管と前記原水供給管とを連通する原水供給通路とを選択的に形成すると共に、前記原水供給通路を形成したときに前記浄活水供給管と前記吐水管とを連通する浄活水通路を形成する通路切替手段と、前記切替コック部の浄活水通路に連通する流路上に配置され、前記浄活水通路を通過する浄活水の積算流量を計測する流量計ユニットと、前記切替コック部に一体的に設けられ、前記浄活水器のカートリッジの総ろ過流量を設定する設定手段と、前記切替コック部に一体的に設けられ、前記設定総ろ過流量に対する前記積算流量の割合に応じて、前記浄活水器のカートリッジの残寿命を演算する演算手段と、前記切替コック部に一体的に設けられ、前記演算手段により算出した前記浄活水器のカートリッジの残寿命を表示する表示手段とを備える。
【００２１】
請求項１５に係るアンダーシンク型浄活水器用流量計付水栓は、請求項１４の構成において、前記流量計ユニットが、前記浄活水通路内に同軸上に配置され、前記浄活水通路を軸方向に通過する浄活水の流量に応じた回転速度で回転する回転体と、前記回転体の回転を検出するセンサと、前記浄活水通路内において前記回転体の上流側に密接して一体的に配置され、前記回転体に流入する浄活水を整流する整流手段とを備える。
【００２２】
請求項１６に係る流量計ユニットは、円筒状をなす羽根車ケースと、前記羽根車ケース内に同軸上に収容配置され、前記羽根車ケース内を軸方向に通過する流体の流量に応じた回転速度で、前記羽根車ケースの軸を中心として回転する羽根車と、前記羽根車の周方向一部に設けた磁性部と、前記羽根車ケースの上流側に一体的に装着される円筒状をなし、内部を通過する流体を整流して前記羽根車に供給する整流器とを備える。
【００２３】
【発明の実施の形態】
以下、本発明の実施の形態を説明する。なお、各実施の形態を通じ、同一の部材、要素または部分には同一の符号を付して、その説明を省略する。
【００２４】
実施の形態１
図１〜図７は本発明の実施の形態１に係る流量計付吐水装置としての流量計付切替コックにおいて切替ハンドルを浄水位置に回転した状態を示し、図１は斜視図、図２は平面図、図３は正面図、図４は側面図、図５は図２のＡ−Ａ線断面図、図６は図３のＢ−Ｂ線断面図、図７は図２のＣ−Ｃ線断面図である。また、図８〜図１１は本発明の実施の形態１に係る流量計付吐水装置としての流量計付切替コックにおいて切替ハンドルを原水ストレート位置に回転した状態を示し、図８は平面図、図９は正面図、図１０は図８のＤ−Ｄ線断面図、図１１は図８のＥ−Ｅ線断面図である。更に、図１２〜図１５は本発明の実施の形態１に係る流量計付吐水装置としての流量計付切替コックにおいて切替ハンドルを原水シャワー位置に回転した状態を示し、図１２は平面図、図１３は正面図、図１４は図１２のＦ−Ｆ線断面図、図１５は図１３のＧ−Ｇ線断面図である。
【００２５】
図１〜図４に示すように、実施の形態１に係る流量計付吐水装置は、流量計付切替コックとして具体化される。流量計付切替コックはコック本体１０を備える。コック本体１０は、耐薬品ＡＢＳ樹脂等の合成樹脂からなるケース状をなし、キッチンで使用される洗剤等の薬品に耐久性を有する。詳細には、コック本体１０は、図５及び図６に示すように、原水流入口１１と、原水（水道水）を吐出する原水吐出口１２と、原水供給口１３とを有する。原水流入口１１は、コック本体１０の上端に配置され、取付ナット２０を介して水栓の蛇口１に接続される。そして、原水流入口１１を介して、蛇口１からの原水がコック本体１０の内部に流入する。なお、実施の形態１に係る流量計付切替コックは、蛇口１の口径等の使用に応じて、吐水パイプ用Ｃリング１６ｍｍ用、吐水パイプ用Ｃリング１９ｍｍ用、水栓外ネジ用Ｍ２２×Ｐ１．２５、水栓外ネジ用Ｍ２２×Ｐ１．０、水栓内ネジ用Ｍ２３×Ｐ１．２５、水栓内ネジ用Ｍ２４×Ｐ１．０、丸型用ビス止め金具等、各種のアダプタを用意しており、基本的にあらゆる種類の蛇口１に工具なしで簡単に取付可能である。原水吐出口１２は、コック本体１０の下端に配置される。なお、実施の形態１に係る流量計付切替コックは、原水吐出口１２として、原水ストレート吐出口１２ａと、原水シャワー吐出口１２ｂとを備えている。即ち、原水ストレート吐出口１２ａは、コック本体１０の下端中央部分に配置され、原水流入口１１から流入した原水をそのまま吐出する。原水シャワー吐出口１２ｂは、原水ストレート吐出口１２ａの外周にリング状に配置され、原水流入口１１から流入した原水をシャワー状にして吐出する。原水供給口１３は、コック本体１０の後端に配置されている。具体的には、原水供給口１３は、ホースニップルにより構成され、シンク付近等に据え置きで設置される据え置き型の浄活水器（図示略）の原水流入口から延びる接続ホース２に、ホース押えナット２３を介して接続される。原水供給口（ホースニップル）１３及びホース押さえナット２３は、代表的な浄活水器用ホース２種類（内径φ６×外径φ１０、内径φ８×外径φ１２）を取付可能であり、更に、１３ｍｍ（Ｇ１／２）ネジにも対応可能である。なお、本明細書では、説明の簡略化のため、浄水器、活水器または浄活水器を単に「浄活水器」と称し、浄水または活性水を浄活水と称する。よって、本明細書において、「浄活水器」とは、浄水器、活水器または浄活水器のいずれかを指す、「浄活水」とは浄水または活性水のいずれかを指すものである。
【００２６】
コック本体１０の上部の原水流入口１１に対向する位置には、ゴム、合成ゴム等からなる減圧流量調整弁２５が内装されている。この減圧流量調整弁２５は、原水流入口１１から流入する原水の圧力を一定化及び緩和し、原水供給口１３から浄活水器に供給する原水の圧力を減少して浄活水器にかかる負荷を低減すると共に、原水吐出口１２からの吐水に節水効果を発揮することができるものである。コック本体１０の内部空間（収容空間）には、樹脂製の切替弁体３１が内装されると共に、切替弁体３１には樹脂製の切替ハンドル３５が固着されている。切替弁体３１及び切替ハンドル３５は、実施の形態１の通路切替手段を構成する。切替弁体３１は、コック本体１０の内部空間の軸方向（図５中の左右方向、図６中の紙面と直交する方向）に延びる略円柱状をなし、その一端側の半分程度（図５中の左半部）をコック本体１０の内部空間に収容している。切替弁体３１の略左半部は、コック本体１０の内部空間において軸を中心として回動自在となっている。一方、切替弁体３１の他端部（図５中の右端部）には、切替ハンドル３５が外周側から嵌合して固着されている。切替ハンドル３５は、切替弁体３１と同軸上に固着され、切替ハンドル３５を軸を中心として回動することにより、切替弁体３１を回動することができる。
【００２７】
前記切替弁体３１の左半部には、軸方向中央付近の外周において周方向に２００度程度延びる連通溝３２が形成されている。また、切替弁体３１の左半部には、直線部３３ａ、屈曲部３３ｂ及び中央部３３ｃからなる連通孔が貫通形成されている。連通孔の直線部３３ａは、一端が切替弁体３１の一端面（図５中左端面）の略中心で開口すると共に、切替弁体３１の内部を軸方向（図５中右方）に延び、他端が切替弁体３１の軸方向中央（左半部の右端）に位置している。屈曲部３３ｂは、直線部３３ａの他端から約９０度屈曲して切替弁体３１の半径方向に延び、切替弁体３１の外周面で開口となっている。なお、連通孔の屈曲部３３ｂの先端（開口）は、切替弁体３１の外周面において連通溝３２の周回方向の略中央に対応する角度位置に配置される。更に、中央部３３ｃは、直線部３３ｂの長さ方向略中央位置から約９０度屈曲して切替弁体３１の半径方向に延び、切替弁体３１の外周面で開口となっている。なお、中央部３３ｃは屈曲部３３ｂと略１８０度反対方向に延びている。即ち、中央部３３ｃの先端（開口）は、切替弁体３１の外周面において連通溝３２の両端間の略中央の角度位置に配置される。
【００２８】
切替ハンドル３５を図１〜図７に示す浄水位置と、図８〜図１１に示す原水ストレート位置と、図１２〜図１５に示す原水シャワー位置との間で選択的に回転することにより、コック本体１０の内部空間に、コック本体１０の原水流入口１１と原水吐出口１２とを連通する原水吐出通路１５と、原水流入口１１と原水供給口１３とを連通する原水供給通路１６とを選択的に形成することができる。詳細には、図１〜図７に示すように、切替ハンドル３５を浄水位置に回転すると、図５及び図６に示すように、切替弁体３１の連通溝３２が切替弁体３１の上側に配置され、原水流入口１１と原水供給口１３とを連通して原水供給通路１６を形成する。このとき、原水流入口１１は、切替弁体３１により、原水吐出口１２（原水ストレート吐出口１２ａ及び原水シャワー吐出口１２ｂ）と遮断される。また、図８〜図１１に示すように、切替ハンドル３５を原水ストレート位置に回転すると、図１０及び図１１に示すように、切替弁体３１の連通溝３２が切替弁体３１の右側に配置され、原水流入口１１と原水ストレート吐出口１２ａとを連通して原水ストレート通路１７を形成する。このとき、原水流入口１１は、切替弁体３１により、原水供給口１３及び原水シャワー吐出口１２ｂと遮断される。更に、図１２〜図１５に示すように、切替ハンドル３５を原水シャワー位置に回転すると、図１４及び図１５に示すように、切替弁体３１の連通溝３２が切替弁体３１の下側に配置され、一方、連通孔が原水流入口１１と原水シャワー吐出口１２ｂとを連通して原水シャワー通路１８を形成する。このとき、原水流入口１１は、切替弁体３１により、原水供給口１３及び原水ストレート吐出口１２ａと遮断される。
【００２９】
流量計
図７に示すように、流量計付切替コックは、前記コック本体１０に隣接して流量計１００を一体的に設けている。流量計１００は、コック本体１０の側面に一体形成或いは固着される本体ケース１１０を備えている。本体ケース１１０は、耐薬品ＡＢＳ樹脂等の合成樹脂からなり、浄活水流入口１１１と、浄活水を吐出する浄活水吐出口１１２と、浄活水流入口１１１と浄活水吐出口１１２とを連通する浄活水通路１１３とを有する。浄活水流入口１１１は、本体ケース１１０の下側部後端に配置されている。具体的には、浄活水流入口１１１は、ホースニップルにより構成され、前記浄活水器の浄活水供給口から延びる接続ホース３に、ホース押えナット１１４を介して接続される。浄活水吐出口１１２は、本体ケース１１０の前側部下端に配置され、浄活水流入口１１１から流入した浄活水を吐出する。浄活水通路１１３は、本体ケース１１０の下側部の空間において、浄活水流入口１１１と浄活水吐出口１１２とを連通する略Ｌ字円筒状の水密空間を形成する。
【００３０】
流量計ユニット
図１６及び図１７は本発明の実施の形態１に係る流量計付切替コックで使用する流量計本体を示し、図１６は一部切欠き断面図、図１７は一部切欠き分解図である。図１８は本発明の実施の形態１に係る流量計付切替コックの羽根車を示す正面図である。図１９は本発明の実施の形態１に係る流量計付切替コックの第１の整流器を示し、（ａ）は上流側から見た背面図、（ｂ）は下流側から見た正面図である。図２０は本発明の実施の形態１に係る流量計付切替コックのストレーナを示し、（ａ）は側面図、（ｂ）は正面図である。図２１は本発明の実施の形態１に係る流量計付切替コックの第２の整流器を示し、（ａ）は上流側から見た背面図、（ｂ）は下流側から見た正面図である。図２２は本発明の実施の形態１に係る流量計付切替コックの制御基板を示すブロック図である。
【００３１】
図７に示すように、浄活水通路１１３には流量計ユニット１２０が配置される。流量計ユニット１２０は、浄活水通路１１３を通過する浄活水の積算流量を計測する。詳細には、図１６及び図１７に示すように、流量計ユニット１２０は、まず、円筒状をなす樹脂製の羽根車ケース１２１を備える。羽根車ケース１２１の内周面には内方に突出するリング状の支持部１２２が一体形成されている。また、羽根車ケース１２１の外周にはリング溝１２３が形成されると共に、リング溝１２３にはＥＰＤＭ等からなるＯリング１２４が弾性的に嵌め込んで装着されている。羽根車ケース１２１の内部の支持部１２２より下流側には、羽根車１２５が同軸上に収容配置される。羽根車１２５は前記支持部１２２に対して回転自在に摺接して支持される。羽根車１２５は、図１８に示すように、その中心部に円柱状の軸部１２６を有し、軸部１２６の外周に複数枚（図１８の例では７枚）の羽根１２７を円周方向に一定角度間隔で並べたものである。羽根車１２５の軸部１２６の軸方向両端の中心には、一対の回転軸１２８が軸方向に突出するよう一体成形されている。羽根車１２５は、羽根車ケース１２１内を軸方向に通過する流体の流量に応じた回転速度で、羽根車ケース１２１の軸を中心として回転する。更に、羽根車１２５は、その外周部（円筒形部分）の周方向一部にのみ磁性部１２９を設けている。詳細には、羽根車１２５は、全体を磁性体材料により形成した後、外周部の周方向一部のみを残して、その他の周方向部分を脱磁または消磁し、前記周方向一部を着磁部のまま残して前記磁性部１２９としている。なお、羽根車１２５を形成するには、例えば、鉄粉９０％とバインダ１０％とからなる磁性体材料を前記羽根車１２５の形状に成形した後、その外周部の所定角度位置の一部を残して他の部分を消磁することにより前記磁性部１２９を所定角度位置に設ける。
【００３２】
羽根車ケース１２１の上流側には、円筒状をなす樹脂製の第１の整流器１３０が一体的に装着される。第１の整流器１３０は、内部を通過する浄活水を整流して羽根車ケース１２１内の羽根車１２５に供給する。詳細には、第１の整流器１３０は、図１９に示すように、半径方向に延びる複数の仕切板１３１（図１９の例では５枚）を円周方向に一定角度間隔で並べたものであり、これらの仕切板１３１により内部を通過する浄活水を整流して羽根車１２５に供給する。また、第１の整流器１３０の軸方向一端（下流側端）の中心部には、前記羽根車１２５の一方（上流側）の回転軸１２８を回転自在に挿着する軸受部１３２が一体成形されている。軸受部１３２は、羽根車ケース１２１内に所定長さ突出し、その先端面が羽根車１２５の軸部１２６の軸方向一端面（上流側端面）に相対回転自在に摺接する。また、各仕切板１３１は上流端から下流端に向かって厚みを拡大するテーパ板状となっている。更に、軸受部１３２の外周面は、先端に向かって曲面的に拡径し、先端面の直径は羽根車１２５の軸部１２６の外径（羽根１２７の内径）と同一となっている。これにより、第１の整流器１３０の仕切板１３１を通過した浄活水が軸受部１３２の外周面に沿って円滑に羽根車１２５の羽根１２７部分に進入する。加えて、第１の整流器１３０の上流側端部には２枚のストレーナ１３４が内装されている。ストレーナ１３４は、図２０に示すように、第１の整流器１３０の内径と同一の外径を有する円形網状のものであり、アルミニウムやステンレス鋼等の耐腐食（防錆）材料により形成される。ストレーナ１３４により、第１の整流器１３０の上流端でも整流効果を発揮し、第１の整流器１３０による全体としての整流効果を向上するようになっている。なお、ストレーナ１３４の数は、１枚であってもよく、或いは３枚以上であってもよい。
【００３３】
一方、羽根車ケース１２１の下流側には、短円筒状をなす樹脂製の第２の整流器１３５が一体的に装着される。第２の整流器１３５は、羽根車１２５を通過して内部に流入する浄活水を整流することにより、第１の整流器１３０の整流作用と協働して、羽根車１２５内を通過する浄活水の整流効果を向上する。詳細には、第２の整流器１３５は、図２１に示すように、半径方向に延びる複数の仕切板１３６（図２１の例では３枚）を円周方向に一定角度間隔で並べたものであり、これらの仕切板１３６により内部を通過する浄活水を整流する。また、第２の整流器１３５の軸方向一端（上流側端）の中心部には、前記羽根車１２５の他方（下流側）の回転軸１２８を回転自在に挿着する軸受部１３７が一体成形されている。軸受部１３７は、その一端面（上流側端面）が羽根車１２５の軸部１２６の軸方向他端面（下流側端面）に相対回転自在に摺接する。また、軸受部１３７の一端面の直径は羽根車１２５の軸部１２６の外径と同一となっている。更に、軸受部１３７の外周面は、他端（下流）に向かって曲面的に縮径している。加えて、軸受部１３７の外周面と対向する第２の整流器１３５の内周面は、一端（上流）から他端（下流）に向かって拡径している。これにより、第２の整流器１３５の内部空間（仕切板１３６間の空間）は、一端から他端に向かってコーン状に拡径し、第２の整流器１３５の仕切板１３６を通過した浄活水が軸受部１３７の外周面に沿って円滑に流出する。
【００３４】
前記浄活水通路１１３の外周面において、前記羽根車１２５の磁性部１２９と対向する位置には、磁性部１２９の磁気を検出する流量センサ１４１が固着され、羽根車１２５が１回転するごと（磁性部１２９と対向するごと）に１パルスを発生するようになっている。本体ケース１１０の上側部の空間には、制御基板１５０が配置されている。制御基板１５０は、図２２に示すように、マイコン１５１、操作部１５２、メモリＩＣ１５３、液晶表示部１５４及びリセット回路１５５を備えている。マイコン１５１はＣＰＵ（中央処理装置）、ＲＯＭ（読み出し専用メモリ）、ＲＡＭ（読み書き可能メモリ）等を実装したものである。操作部１５２は、各種操作信号をマイコン１５１に入力するためのものである。実施の形態１では、操作部１５２は、例えば、ディップスイッチやジャンパー線を使用して、流量計付切替コックを使用する浄活水器のカートリッジの総ろ過流量を設定するための設定値等をマイコン１５１に入力及び設定する。メモリＩＣ１５３は、不揮発性の二次記憶装置を構成し、マイコン１５１に入力された設定値としての総ろ過流量や使用限界時間、流量計１００により計測した積算流量に基づいて更新される残ろ過流量やタイマにより計測した経過時間に基づいて更新される残使用可能時間等のカートリッジ残寿命等を記憶する。メモリＩＣ１５３には、接続する浄活水器のカートリッジの種類に応じて決定される総ろ過流量や使用限界時間等の他、いかなる数値でも制限なしに設定値として記憶することができる。液晶表示部１５４は、前記本体ケース１１０の上面に配置される。また、液晶表示部１５４は、カートリッジの残寿命を複数段階（図の例では５段階）のレベル形式で表示するカートリッジ寿命表示部１５４ａと、電池寿命を複数段階（図の例では３段階）のレベル形式で表示する電池寿命表示部１５４ｂとを有する。また、液晶表示部１５４は、電池寿命表示部１５４ｂの上側に、「交換」等、カートリッジや電池の交換を促す文字を点滅表示する交換表示部を有する。
【００３５】
実施の形態１では、流量計１００は、浄活水器カートリッジの寿命設定を、総ろ過流量や時間等のパラメータを使用して、浄活水器の性能に応じて数値設定することができる。詳細には、流量計１００は、カートリッジ寿命の設定モードとして、浄活水器の能力（総ろ過流量）でカートリッジ寿命を設定する流量モードと、カートリッジ使用開始からの経過時間でカートリッジ寿命を設定する時間モードと、前記流量モード及び時間モードを組み合わせて使用する併用モードとを有している。そして、使用者は、かかる３つの設定モードから選択して浄活水器カートリッジの寿命設定を行うことが可能である。
【００３６】
各設定モードによるカートリッジの残寿命表示について説明すると、まず、流量計１００のカートリッジ寿命表示部１５４ａは、浄活水器を接続した初期状態（カートリッジ新品時）では、全ての目盛（５レベル）を点灯表示している。なお、このとき、流量計１００のメモリＩＣ１５３には、使用中の浄活水器のカートリッジの仕様に応じた総ろ過流量（例えば、５０００Ｌ、１００００Ｌ等）が記憶されている。そして、浄活水器を使用すると、流量計１００の流量計ユニット１１０内を流れる浄活水の流量に応じた回転速度で羽根車１２５が回転する。ここで、使用者が前記設定モードとして流量モードを選択した場合、流量計１００のマイコン１５１は、前記流量センサ１４１により羽根車１２５の磁性部１２９を検出して羽根車１２５の回転数を計測し、前記流量センサ１４１からのパルス信号をスイッチ基板１６１を介して入力してカウントする。そして、マイコン１５１は、積算パルス数（羽根車１２５の積算回転数）に基づき、浄活水通路１１３を通過した浄活水の水量（積算流量）を計算すると共に、メモリＩＣ１５３に記憶したカートリッジの総ろ過流量から積算流量を減算し、現在のカートリッジの残寿命（残ろ過流量）を液晶表示部１５４に表示する。具体的には、メモリＩＣ１５３に設定したカートリッジ寿命（総ろ過流量）から見て１／５（２０％）の流量の浄活水が浄活水通路１１３を流れるごとに、マイコン１５１は、５目盛あるカートリッジ寿命表示部１５４ａの点灯表示を１目盛ずつ順に消していく。そして、マイコン１５１は、設定のカートリッジ寿命（総ろ過流量）に達すると、最後の目盛も消灯して全てのレベル表示を消すと共に、「交換」の文字の交換表示部（交換サイン）を点滅表示する。
【００３７】
使用者が前記設定モードとして時間モードを選択した場合、流量計１００のマイコン１５１は、前記流量センサ１４１からの入力は無視又は非入力とし、制御基板１５０に実装したタイマ回路や外部のタイマにより、浄活水器の使用開始（カートリッジ新品時）からの経過時間を計測する。なお、このとき、流量計１００のメモリＩＣ１５３には、使用中の浄活水器のカートリッジの仕様に応じた使用限界時間（例えば、１年等）が記憶されている。なお、使用限界時間の設定は、通常は、年数（例えば１年）または月数（例えば１２ケ月）を指定して行うが、日数（例えば３６５日）により行うことも可能である。そして、マイコン１５１は、浄活水器の使用開始からの経過時間を計測すると共に、メモリＩＣ１５３に記憶したカートリッジの使用限界時間から前記経過時間を減算し、現在のカートリッジの残寿命（残使用可能時間）を液晶表示部１５４に表示する。具体的には、メモリＩＣ１５３に設定したカートリッジ寿命（使用限界時間）から見て１／５（２０％）の時間が経過するごとに、マイコン１５１は、５目盛あるカートリッジ寿命表示部１５４ａの点灯表示を１目盛ずつ順に消していく。そして、マイコン１５１は、設定のカートリッジ寿命（使用限界時間）に達すると、最後の目盛も消灯して全てのレベル表示を消すと共に、「交換」の文字の交換表示部（交換サイン）を点滅表示する。
【００３８】
使用者が前記設定モードとして併用モードを選択した場合、流量計１００のマイコン１５１は、前記流量モードの場合と同様にして、流量センサ１４１からのパルス信号をスイッチ基板１６１を介して入力してカウントする。同時に、マイコン１５１は、前記時間モードの場合と同様にして、浄活水器の使用開始（カートリッジ新品時）からの経過時間を計測する。なお、このとき、流量計１００のメモリＩＣ１５３には、使用中の浄活水器のカートリッジの仕様に応じた総ろ過流量及び使用限界時間が記憶されている。そして、マイコン１５１は、積算流量と経過時間との２つの条件のうち、カートリッジ寿命表示部１５４ａのレベル点灯表示の減りが多くなる方の条件を優先的に適用し、点灯表示を消していく。例えば、総ろ過流量を１００００Ｌ、使用限界時間を１年（１２ヶ月）と設定した場合において、現在の積算流量が６０００Ｌ（レベル３目盛に相当）、経過時間が１５０日（目盛２目盛に相当）の場合、マイコン１５１は、条件として積算流量を優先して適用し、カートリッジ寿命表示部１５４ａのレベル点灯表示を３目盛分消す。そして、マイコン１５１は、これら２つの条件のうち、いずれかの条件が設定基準値を超えた場合、即ち、上記の例の場合で積算流量が１００００Ｌまたは経過時間が１２ヶ月を超えた場合、全てのレベル表示を消すと共に、「交換」の文字の交換表示部（交換サイン）を点滅表示する。
【００３９】
なお、流量計１００の電池寿命表示部１５４ｂは、電池交換した状態（電池新品時）では、全ての目盛（３レベル）を点灯表示している。そして、マイコン１５１は、電池容量が新品時から３３％減少するごとに、１目盛ずつ電池寿命表示部１５４ｂの点灯表示が消えていく。そして、マイコン１５１は、電池容量がなくなると、最後の目盛も消灯して全てのレベル表示を消すと共に、「交換」の文字の交換表示部（交換サイン）を点滅表示する。なお、「交換」の文字の交換標示部は、マイコン１５１の制御により、カートリッジ交換時または電池交換時に選択的に点滅表示される。
【００４０】
リセット回路１５５は、リセットボタン１５６に接続されている。リセットボタン１５６は、前記本体ケース１１０の上面において液晶表示部１５４の下方に配置されている。リセットボタン１５６を押すと、リセット回路１５５からの指令に基づき、マイコン１５１が、メモリＩＣ１５３に記憶したカートリッジの残寿命（残ろ過流量や残使用可能時間）を、初期設定のカートリッジ寿命（総ろ過流量や使用限界時間）へとリセットする。リセットボタン１５６は、使用者が不注意で押すことのないよう、指で触れた程度ではリセットされない設計となっている。例えば、リセットボタン１５６は、先鋭な部材の先端で押すことにより動作する設計となっている。なお、実施の形態１では、リセットボタン１５６を長押しすると、前記設定モード（流量モード等）へ移行し、予め登録された複数の積算流量の中から、カートリッジの仕様等に応じて、設定値を選択するように構成することもできる。この場合、選択後、数秒間操作無しの状態が続くと、通常モード（前記リセット操作が可能なモード）へと復帰するよう構成することもできる。更に、前記設定モードによる設定値の設定は、通常、工場出荷段階で行うため、使用者（エンドユーザ）が誤操作等により設定を変更することのないよう、例えば、リセットボタン１５６を３±１秒押したときにのみ上記設定モードを呼び出すようにしてもよい。或いは、制御基板１５０にジャンパー線を実装し、ジャンパー線が存在する状態でのみ前記総ろ過流量、使用限界時間、電池容量等の設定操作を可能にするよう構成することもできる。この場合、設定後にジャンパー線を切断することにより、エンドユーザのご操作等を防止することができる。
【００４１】
前記本体ケース１１０の側面には電池カバー１５８が取付けられ、内部に電池を収容するようになっている。電池としては、コンパクトで長寿命かつ汎用性の高いボタン電池（リチウムコイン電池）等を使用する。
【００４２】
なお、実施の形態１では、前記マイコン１５１及び操作部１５２により、浄活水器のカートリッジの総ろ過流量を設定する設定手段が構成される。また、前記マイコン１５１により、設定総ろ過流量に対する積算流量の割合に応じて、浄活水器のカートリッジの残寿命を演算する演算手段が構成される。更に、前記液晶表示部１５４により、演算手段により算出した浄活水器のカートリッジの残寿命を表示する表示手段が構成される。
【００４３】
流量計付切り替えコックの作用及び効果
上記のように構成された流量計付切り替えコックは、水栓の蛇口１にコック本体１０の原水流入口１１を取付ナット２０を介して取付ける。また、コック本体１０の原水供給口１２にホース押えナット２３を介して浄活水器の原水流入口側の接続ホース２を接続すると共に、流量計１００の浄活水流入口１１２にホース押えナット１１４を介して浄活水器の浄活水供給口側の接続ホース３を接続する。なお、このとき、制御基板１５０のメモリＩＣには、接続する浄水器のカートリッジ（新品）の総ろ過流量（寿命）が予め記憶されている。そして、浄活水を使用する場合、図５及び図６に示すように、切替ハンドル３５を浄水位置に回転する。すると、切替弁体３１の連通溝３２が原水流入口１１と原水供給口１３とを連通して原水供給通路１６を形成し、原水流入口１１からの原水が原水供給通路１６及び原水供給口１３から接続ホース２を介して浄活水器に流入する。その後、浄活水器のカートリッジを通過して浄化及び／または活性化された浄活水は、浄活水器の浄活水供給口から接続ホース３を介して流量計１００の浄活水流入口１１２に流入する。なお、このとき、原水流入口１１は、切替弁体３１により、原水ストレート吐出口１２ａ及び原水シャワー吐出口１２ｂと遮断され、原水ストレート吐出口１２ａ及び原水シャワー吐出口１２ｂから原水が吐出されることはない。
【００４４】
浄活水流入口１１２から流入した浄活水は、本体ケース１００の浄活水通路１１３内を通過し、流量計ユニット１２０に流入する。このとき、浄活水は、まず、第１の整流器１３０内の上流端側に位置するストレーナ１３４により乱流等を防止され、整流された状態で第１の整流器１３０の内部に流入する。そして、浄活水は、一定角度間隔で並ぶ仕切板１３１により更に整流されて乱流等を防止された状態で、下流側の羽根車ケース１２１内に流入する。次に、浄活水は、羽根車ケース１２１内の羽根車１２５を通過し、その通過速度（流量）に応じた回転速度で羽根車１２５が回転する。その後、浄活水は、第２の整流器１３５を経て浄活水通路１１３の下流側に流出する。このとき、第２の整流器１３５によっても、羽根車１２５を通過する浄活水の整流が行われる。
【００４５】
浄活水通過による羽根車１２５の回転に伴い、磁性部１２９も同期して回転する。ここで、前記流量モードを設定モードとして使用する場合は、流量センサ１４１が、磁性部１２９と対向するごとにパルスを発生し、スイッチ基板１６１を介して制御基板１５０のマイコン１５１にパルスを入力する。すると、マイコン１５１が、入力パルス数をカウントし、カウント値に対応する積算流量をＩＣメモリ１５３に記憶したカートリッジの総ろ過流量から減算していく。そして、マイコン１５１は、積算流量が所定レベル（総ろ過流量の１／５〜５／５までの各レベル）に達するごとに、液晶表示部１５４のカートリッジ寿命表示部１５４ａのレベル表示（目盛）を減少していく。なお、このとき、マイコン１５１は、浄活水通過に伴い順次増加する積算流量をＩＣメモリ１５３に記憶し、この積算流量を予め記憶した総ろ過流量と比較して、上記残寿命の更新を行うよう構成することもできる。そして、積算流量が総ろ過流量に達すると、即ち、残ろ過流量がゼロになると、マイコン１５１は、カートリッジ寿命表示部１５４ａの最後のレベル表示（目盛）を消灯すると共に、交換表示部の「交換」の文字を点滅表示する。また、前記時間モードを設定モードとして使用する場合は、マイコン１５１は、経過時間を計測し、ＩＣメモリ１５３に記憶した使用限界時間から減算していく。そして、マイコン１５１は、経過時間が所定レベル（使用限界時間の１／５〜５／５までの各レベル）に達するごとに、液晶表示部１５４のカートリッジ寿命表示部１５４ａのレベル表示（目盛）を減少していく。そして、経過時間が使用限界時間に達すると、マイコン１５１は、カートリッジ寿命表示部１５４ａの最後のレベル表示（目盛）を消灯すると共に、交換表示部の「交換」の文字を点滅表示する。更に、前記併用モードを設定モードとして使用する場合は、マイコン１５１は、流量センサ１４１からの入力パルスをカウントすると共に、タイマにより経過時間を計測する。そして、マイコン１５１は、上記のように、総ろ過流量に対する積算流量の割合と、使用限界時間に対する経過時間の割合を比較して、より大きい割合の方の条件を適用して液晶表示部１５４のカートリッジ寿命表示部１５４ａのレベル表示（目盛）を減少していく。そして、積算流量が総ろ過流量に達するか、または、経過時間が使用限界時間に達するか、いずれかの条件が最初に発生した時点で、マイコン１５１は、カートリッジ寿命表示部１５４ａの最後のレベル表示（目盛）を消灯すると共に、交換表示部の「交換」の文字を点滅表示する。
【００４６】
この後、使用者が浄水器のカートリッジを交換し、流量計１００のリセットボタン１５６を押すと、ＩＣメモリ１５３の残ろ過流量（ゼロ値）が初期設定値の総ろ過流量へとリセットされる。これにより、流量計付切替コックは、上記と同様にして、再度、交換したカートリッジの残寿命を表示することができる。
【００４７】
上記のように、実施の形態１に係る流量計付切替コックは、接続する浄活水器のカートリッジの種類に応じて、その寿命を各種設定モードにより適宜設定変更できると共に、水栓の蛇口１と浄活水器との間に各種取付具及びアダプタ等により簡単に接続できるため、カートリッジ寿命等の仕様の異なる各種浄活水器の吐水口または吐水管に後付けで簡単に装着することができ、ほぼ全ての浄活水器に対応できる。また、測定モードとして流量モードや併用モードを使用する場合、流量計ユニット１２０にストレーナ１３４、第１の整流器１３０及び第２の整流器１３５を設けたため、浄活水器の積算流量を正確に測定して仕様に応じたカートリッジの残寿命を的確に表示することができる。発明者等の実験結果によれば、流量計ユニット１２０による計測誤差は約１０％となり、積算流量計一般と比較して計測誤差を大幅に向上することができた。更に、カートリッジの総ろ過流量を不揮発性のメモリＩＣ１５３に記憶するため、電池交換時に電池を外しても、それまでにカウントされた積算流量がリセットされることはない。
【００４８】
特に、カートリッジ寿命の設定モードとして、流量モード、時間モード及び併用モードの３モードを選択して使用可能であるため、カートリッジの仕様や使用状況等を適宜勘案して、最適な設定モードでカートリッジの寿命を計測して表示することができる。ここで、総ろ過流量の数値が大きな浄活水器の場合、長期間使用できるという経済的なメリットがあるが、長期間に少量ずつ使用されることにより、カートリッジの衛生状態悪化が懸念される場合も考えられる。例えば、日本水道協会規格（ＪＷＷＡ）の浄水器規格「Ｓ１０２」では、「使用限界日数は衛生性を確保するため上限を１２ヶ月以内とする」とある。よって、この規格認定のある浄水器を使用する場合、経過時間が１２ヶ月を超えても積算流量が総ろ過流量に達しない場合、カートリッジの衛生状態悪化が懸念される。しかし、実施の形態１では、そのような場合、設定モードとして時間モードまたは併用モードを適用することにより、かかる懸念を解消することができる。即ち、積算流量が総ろ過流量に達しない場合でも、経過時間が１２ヶ月を超えたときに、「交換」サインが点滅表示され、使用者にカートリッジの交換を促すことができるため、上記規格に伴う機能表示通りのカートリッジ交換サイクルを使用者に遵守してもらうことができる。
【００４９】
また、実施の形態１では、上記構成の流量計ユニット１２０が、羽根車１２５により、少ない流量であっても正確に流量を測定すると共に、第１及び第２の整流器１３０，１３５やストレーナ１３４により、乱流を防止して計測誤差を極力小さくすることができる。なお、実施の形態１では、流量計１１０は、計測誤差を−１０％として設定されている。例えば、設定総ろ過流量が５０００Ｌの場合、実際に流れた浄活水の流量が４５００Ｌ〜５０００Ｌの範囲にある場合、流量計１１０は計測値を５０００Ｌとして前記カートリッジ交換表示部１５４ａのレベル表示を行う、即ち、「交換」サインの点滅表示を行う。これにより、計測誤差のために、実際は設定総ろ過流量以上にカートリッジが使用されているにも関わらず、「交換」サインが表示されないといった事態を防止することができ、使用者に安心感を与えることができる。更に、電池交換表示部１５４ｂ及び「交換」サインにより電池容量の残量表示も行うため、電池切れによるカートリッジ交換表示部１５４ａの非表示といった事態を防止することができ、使用者に安心感を与えることができる。
【００５０】
次に、図１０及び図１１に示すように、切替ハンドル３５を原水ストレート位置に回転すると、切替弁体３１の連通溝３２が、原水流入口１１と原水ストレート吐出口１２ａとを連通して原水ストレート通路１７を形成し、原水ストレート吐出口１２ａから原水がストレート吐出される。このとき、原水流入口１１は、切替弁体３１により、原水供給口１３及び原水シャワー吐出口１２ｂと遮断され、原水シャワー吐出口１２ｂから原水が吐出されることはなく、また、浄活水吐出口１１２から浄活水が吐出されることもない。更に、図１４及び図１５に示すように、切替ハンドル３５を原水シャワー位置に回転すると、切替弁体３１の連通孔が原水流入口１１と原水シャワー吐出口１２ｂとを連通して原水シャワー通路１８を形成し、原水シャワー吐出口１２ｂから原水がシャワー吐出される。このとき、原水流入口１１は、切替弁体３１により、原水供給口１３及び原水ストレート吐出口１２ａと遮断され、原水ストレート吐出口１２ａから原水が吐出されることはなく、また、浄活水吐出口１１２から浄活水が吐出されることもない。
【００５１】
ここで、実施の形態１に係る流量計付切替コックは、前記コック本体１０及び本体ケース１１０の防塵性能を、ＪＩＳ規格による６段階のうちの「５」等の高い設定とし、粉塵が内部に侵入することを防止すると共に、多少の粉塵の侵入があっても正常に動作するような構造とすることが好ましい。また、前記コック本体１０及び本体ケース１１０の防水性能を、ＪＩＳ規格による８段階のうちの「５」等の高い設定とし、いかなる方向からの水の噴流を受けても有害な影響を受けないような構造とすることが好ましい。更に、定流量弁、逆流防止弁、プレフィルターの取付け等を行うようにすることもできる。この場合、定流量弁は、浄活水器に流入する水道水の量を一定にし、浄活水器本体及びカートリッジに負担がかからないようにする機能を有する。また、逆流防止弁は、浄活水吐出口１１２から浄水器本体へ浄水が逆流するのを防止すると共に、浄活水吐出口１１２から雑菌が浄活水器に浸入するのを防ぐ機能を有する。更に、プレフィルターは、浄活水器に流入する水道水から大きなゴミ、赤水をシャットアウトする機能を有する。
【００５２】
実施の形態２
図２３は本発明の実施の形態２に係る流量計付吐水装置としての流量計付フレキ吐水管を浄活水器に取付けた状態を示す斜視図である。図２４〜図２８は本発明の実施の形態２に係る流量計付吐水装置としての流量計付フレキ吐水管を示し、図２４は斜視図、図２５は平面図、図２６は正面図、図２７は側面図、図２８は側面の断面図である。
【００５３】
図２３に示すように、実施の形態２に係る流量計付吐水装置は、流量計付フレキ吐水管として具体化される。流量計付フレキ吐水管は、実施の形態１の流量計１００と同様の流量計２００を備える。流量計２００は、図２４〜図２８に示すように、本体ケース２１０を備えている。本体ケース２１０は、耐薬品ＡＢＳ樹脂等の合成樹脂からなり、浄活水流入口２１１と、浄活水を吐出する浄活水吐出口２１２と、浄活水流入口２１１と浄活水吐出口２１２とを連通する浄活水通路２１３とを有する。浄活水流入口２１１は、本体ケース２１０の下側部後端に配置されている。浄活水流入口２１１は、基端側（上流側）のフレキ金具２２１を介して回転固定金具２２３に接続されている。浄活水吐出口２１２は、本体ケース２１０の下側部前端に配置され、浄活水流入口２１１から流入した浄活水を吐出する。浄活水吐出口２１１は、先端側（下流側）のフレキ金具２３１を介してフレキ吐水管２３３に接続されている。浄活水通路２１３は、本体ケース２１０の下側部の空間において、浄活水流入口２１１と浄活水吐出口２１２とを連通する略直線円筒状の水密空間を形成する。上記以外の構成は、実質的に、実施の形態１の流量計１００と同様である。即ち、浄活水通路２１３には前記流量計ユニット１２０が配置され、本体ケース２１０の上側には流量センサ１４１及び制御基板１５０が配置されている。また、本体ケース２１０の上面には液晶表示部１５４及びリセットボタン１５６が配置され、側面には電池カバー１５８が配置されている。
【００５４】
上記のように構成した流量計付フレキ吐水管は、図２３に示すように、回転固定金具２２３を浄活水器５の浄活水供給口（図示略）に接続する。浄活水器５には、接続金具６を介して、水栓の蛇口に接続する接続ホース７が接続され、蛇口からの原水が原水流入口（図示略）から流入するようになっている。これにより、浄活水器５の内部を通過してカートリッジにより浄化または活性化された浄活水が浄活水供給口が供給され、その浄活水が、回転固定金具２２３の流入口２２４に流入し、フレキ金具２２１を介して流量計２００の浄活水流入口２１１に流入する。浄活水流入口２１１に流入した浄活水は、実施の形態１で述べたと同様にして、浄活水通路２１３内を通過し、流量計ユニット１２０を通過して、浄活水吐出口２１２から吐出される。その後、浄活水は、フレキ金具２３１を介してフレキ吐水間２３３に流入し、その先端から吐出される。なお、回転固定金具２２３は水平方向に３６０度回転可能であり、流量計付フレキ吐水管を所望の様々な方向に向けることができる。
【００５５】
実施の形態２に係る流量計付フレキ吐水管は、接続する浄活水器５のカートリッジの種類に応じてその寿命を各種設定モードにより適宜設定変更できると共に、各種の浄活水器５に対して回転固定金具２２３や各種取付具及びアダプタ等により簡単に接続できるため、カートリッジ寿命等の仕様の異なる各種浄活水器の吐水口または吐水管に後付けで簡単に装着することができ、ほぼ全ての浄活水器に対応できる。また、測定モードとして流量モードや併用モードを使用する場合、流量計ユニット１２０により、浄活水器の積算流量を正確に測定して仕様に応じたカートリッジの残寿命を的確に表示することができる。また、フレキ吐水管２３３にはインナーホースが入っているため、止水性が高く、フレキ吐水管２３３の隙間から水漏れすることがない。
【００５６】
ここで、流量計付フレキ吐水管は、別体の金属アダプタによって、既設のフレキ吐水管に流量計２００部分のみ中間付けすることも可能である。また、フレキ吐水管２３３の先端部は、通常のタイプに加え、逆流防止弁付、泡沫付、シャワー付の構造とすることもできる。フレキ吐水管２３３の先端部を逆流防止弁付構造とした場合、フレキ吐水管３３から浄水器５へ浄活水が逆流するのを防止すると共に、フレキ吐水管２３３から雑菌が浄水器５に浸入するのを防ぐことができる。フレキ吐水管２３３の先端部を泡沫付構造またはシャワー付構造とした場合、水流をそれぞれ泡沫またはシャワー吐水とすることができる。
【００５７】
実施の形態３
図２９は本発明の実施の形態３に係る浄活水器用流量計を浄活水器に取付けた状態を示す斜視図である。
図２９に示すように、実施の形態３に係る浄活水器用流量計は、基本的には、実施の形態２の流量計２００を浄活水器５の原水流入口側に接続したものである。流量計２００の吐出口は、可撓性の接続ホース８を介して前記接続金具６に接続されると共に、流量計２００の流入口は、可撓性の接続ホース９を介して水栓の蛇口に接続される。即ち、実施の形態３では、流量計２００の浄活水流入口２１１は原水流入口として使用され、浄活水吐出口２１２は原水供給口として使用されている。そして、蛇口１からの原水が、流量計２００の浄活水通路２１３を通過して、浄活水器５に供給され、浄活水器の浄活水が、回転固定金具２２３及びフレキ金具２３１を介して、フレキ吐水管２３３から吐出される。よって、実施の形態３では、流量計２００は、浄活水の積算流量ではなく、原水の積算流量を計測することにより、カートリッジの残寿命を表示する。なお、実施の形態３では、原水が流量計２００を流れるため、原水通路となる浄活水通路２１３の上流側にストレーナ等のろ過具を設けることが好ましい。
【００５８】
実施の形態３に係る浄活水器用流量計は、実施の形態２に係る流量計付フレキ吐水管と同様の作用及び効果を発揮する。
【００５９】
実施の形態４
図３０は本発明の実施の形態４に係る流量計付吐水装置としてのアンダーシンク型浄活水器用流量計付水栓を示す斜視図である。
実施の形態４に係る流量計付吐水装置は、アンダーシンク型浄活水器用流量計付水栓に具体化される。アンダーシンク型浄活水器用流量計付水栓は、アンダーシンク型浄活水器に取付けて使用される。詳細には、アンダーシンク型浄活水器用流量計付水栓は、流量計３００と、切替コック部３１０と、切替ハンドル３１５とを備える。また、アンダーシンク型浄活水器用流量計付水栓は、原水流入管３２１と、原水供給管３２２と、浄活水供給管３２３とを備える。原水流入管３２１は、シンク（図示略）の下方に収容した蛇口（図示略）に接続される。原水供給管３２２は、原水流入管３２１に流入した原水を、シンクの下方に配置した浄活水器（図示略）の原水流入口（図示略）に接続する。浄活水供給管３２３は、浄活水器の浄活水供給口（図示略）に接続される。切替コック部３１０の上端には吐水管３３１が接続されている。切替コック部３１０は、前記原水流入管３２１、原水供給管３２２及び浄活水供給管３２３のそれぞれの上端部を収容している。そして、切替コック部３１０は、実施の形態１の流量計付切替コックと同様にして、切替ハンドル３１５を回転して浄水位置及び原水位置の間で切替えることにより、原水流入管３２１と吐水管３３１との接続（原水通路形成）、原水供給管３２２と浄活水器の原水流入口との接続（原水供給通路の形成）及び浄活水供給管３２３と浄活水器の浄活水供給口との接続（浄活水通路の形成）を選択的に行い、原水流入管３２１からの原水及び浄活水供給管３２３からの浄活水を吐水管３３１から選択的に吐出する。即ち、切替ハンドル３１５は、切替コック部３１０に装着されて実施の形態４の通路切替手段を構成し、切替コック部３１０の内部空間に、原水流入管３２１と吐水管３３１とを連通する原水吐出通路と、原水流入管３２１と原水供給管３２２とを連通する原水供給通路とを選択的に形成すると共に、原水供給通路を形成したときに浄活水供給管３２３と吐水管３３１とを連通する浄活水通路を形成する。
【００６０】
一方、流量計３００は、実施の形態１〜３の流量計１００，２００と同様の基本構成を有すると共に、切替コック部３１０に隣接して一体的に設けられている。即ち、図示はしないが、流量計３００は、流量計ユニット１２０を切替コック部３１０の浄活水通路に連通する流路上に配置し、流量センサ１４１により浄活水通路を通過する浄活水の積算流量を計測する。また、流量計３００は、制御基板１５０を備え、マイコン１５１や操作部１５２からなる設定手段により浄活水器のカートリッジの総ろ過流量を設定する。更に、流量計３００は、マイコン１５１からなる演算手段により、設定総ろ過流量に対する積算流量の割合に応じて、浄活水器のカートリッジの残寿命を演算する。そして、流量計３００は、演算手段により算出した浄活水器のカートリッジの残寿命を表示手段としての液晶表示部１５４に表示する。
【００６１】
実施の形態４に係るアンダーシンク型浄活水器用流量計付水栓は、接続するアンダーシンク型浄活水器のカートリッジの種類に応じてその寿命を各種設定モードにより適宜設定変更できると共に、各種のアンダーシンク型浄活水器に対して各種取付具及びアダプタ等により簡単に接続できるため、カートリッジ寿命等の仕様の異なる各種アンダーシンク型浄活水器の吐水口または吐水管に後付けで簡単に装着することができ、ほぼ全てのアンダーシンク型浄活水器に対応できる。また、測定モードとして流量モードや併用モードを使用する場合、流量計ユニット１２０により、浄活水器の積算流量を正確に測定して仕様に応じたカートリッジの残寿命を的確に表示することができる。
【００６２】
実施の形態５
図３１は本発明の実施の形態５に係る流量計付吐水装置としての流量計付切替コックにおいて切替ハンドルを浄水位置に回転した状態を示す斜視図である。
図３１に示すように、実施の形態５に係る流量計付切替コックは、実施の形態１に係る流量計付切替コックとほぼ同一の構成である。一方、実施の形態５に係る流量計付切替コックは、流量計１００の本体ケース１１０の下側前端に、浄活水吐出口用の円形孔を形成すると共に、その円形孔をキャップ４０１で遮蔽した点が実施の形態１と異なる。それ以外の構成は実施の形態１と同様である。
【００６３】
実施の形態５に係る流量計付切替コックは、本体ケース１１０のキャップ４０１を外して浄活水通路１１３を実施の形態２や実施の形態３の浄活水通路２１３と置き換えることにより、本体ケース１１０を実施の形態２や実施の形態３の流量計付フレキ吐水管の本体ケース２１０として簡単に転換使用できるという効果を有する。なお、この場合、本体ケース１１０の前側下端の浄活水吐出口１１２は、キャップ４０１により遮蔽することができる。
【００６４】
ところで、本発明は、浄活水器に接続されて浄活水を吐出する吐水装置全般に適用することができる。また、実施の形態２〜５では、カートリッジの寿命設定のパラメータ（条件）として、流量モードについてのみ説明したが、実施の形態１と同様、時間モード、併用モードを使用してカートリッジの寿命設定並びに残寿命測定及び表示を行うことができる。
【００６５】
【発明の効果】
請求項１乃至４に記載の流量計付吐出装置は、上記のように構成したため、カートリッジ寿命等の仕様の異なる各種浄水器に後付けで簡単に装着することができ、ほぼ全ての浄活水器に対応できる。
【００６６】
請求項５に記載の流量計付吐水装置は、上記のように構成したため、請求項１乃至４のいずれかの効果に加え、浄活水器の積算流量を正確に測定して仕様に応じたカートリッジの残寿命を的確に表示することができる。
【００６７】
請求項６に記載の流量計付切替コックは、上記のように構成したため、カートリッジ寿命等の仕様の異なるダブルホース型の各種浄水器に後付けで簡単に装着することができ、ほぼ全ての浄活水器に対応できる。
【００６８】
請求項７に記載の流量計付切替コックは、上記のように構成したため、請求項６の効果に加え、浄活水器の積算流量を正確に測定して仕様に応じたカートリッジの残寿命を的確に表示することができる。
【００６９】
請求項８に記載の流量計付フレキ吐水管は、上記のように構成したため、カートリッジ寿命等の仕様の異なるシングルホース型の各種浄水器に後付けで簡単に装着することができ、ほぼ全ての浄活水器に対応できる。
【００７０】
請求項９に記載の流量計付フレキ吐水管は、上記のように構成したため、請求項８と同様の効果に加え、浄活水器に既設のフレキ吐水間に中間付けできるという効果を発揮する。
【００７１】
請求項１０に記載の流量計付フレキ吐水管は、上記のように構成したため、請求項８または９の効果に加え、浄活水器の積算流量を正確に測定して仕様に応じたカートリッジの残寿命を的確に表示することができる。
【００７２】
請求項１１に記載の浄活水器用流量計は、上記のように構成したため、浄活水器の原水流入口側に取付けてカートリッジ寿命を測定及び表示できるという効果を発揮する。
【００７３】
請求項１２に記載の浄活水器用流量計は、上記のように構成したため、請求項１１の効果に加え、内部に流入する原水をろ過できるという効果を発揮する。
【００７４】
請求項１３に記載の流量計付吐水装置は、上記のように構成したため、請求項１１または１２の効果に加え、浄活水器の積算流量を正確に測定して仕様に応じたカートリッジの残寿命を的確に表示することができる。
【００７５】
請求項１４に記載のアンダーシンク型浄活水器用流量計付水栓は、上記のように構成したため、カートリッジ寿命等の仕様の異なるアンダーシンク型の各種浄水器に後付けで簡単に装着することができ、ほぼ全ての浄活水器に対応できる。
【００７６】
請求項１５に記載のアンダーシンク型浄活水器用流量計付水栓は、上記のように構成したため、請求項１４の効果に加え、浄活水器の積算流量を正確に測定して仕様に応じたカートリッジの残寿命を的確に表示することができる。
【００７７】
請求項１６に記載の流量計ユニットは、上記のように構成したため、例えば請求項１乃至１１のいずれかの流量計ユニットとして使用することにより、浄活水器の積算流量を正確に測定して仕様に応じたカートリッジの残寿命を的確に表示することができる。
【図面の簡単な説明】
【図１】図１は本発明の実施の形態１に係る流量計付吐水装置としての流量計付切替コックにおいて切替ハンドルを浄水位置に回転した状態を示す斜視図である。
【図２】図２は本発明の実施の形態１に係る流量計付吐水装置としての流量計付切替コックにおいて切替ハンドルを浄水位置に回転した状態を示す平面図である。
【図３】図３は本発明の実施の形態１に係る流量計付吐水装置としての流量計付切替コックにおいて切替ハンドルを浄水位置に回転した状態を示す正面図である。
【図４】図４は本発明の実施の形態１に係る流量計付吐水装置としての流量計付切替コックにおいて切替ハンドルを浄水位置に回転した状態を示す側面図である。
【図５】図５は図２のＡ−Ａ線断面図である。
【図６】図６は図３のＢ−Ｂ線断面図である。
【図７】図７は図２のＣ−Ｃ線断面図である。
【図８】図８は本発明の実施の形態１に係る流量計付吐水装置としての流量計付切替コックにおいて切替ハンドルを原水ストレート位置に回転した状態を示す平面図である。
【図９】図９は本発明の実施の形態１に係る流量計付吐水装置としての流量計付切替コックにおいて切替ハンドルを原水ストレート位置に回転した状態を示す正面図である。
【図１０】図１０は図８のＤ−Ｄ線断面図である。
【図１１】図１１は図８のＥ−Ｅ線断面図である。
【図１２】図１２は本発明の実施の形態１に係る流量計付吐水装置としての流量計付切替コックにおいて切替ハンドルを原水シャワー位置に回転した状態を示す平面図である。
【図１３】図１３は本発明の実施の形態１に係る流量計付吐水装置としての流量計付切替コックにおいて切替ハンドルを原水シャワー位置に回転した状態を示す正面図である。
【図１４】図１４は図１２のＦ−Ｆ線断面図である。
【図１５】図１５は図１３のＧ−Ｇ線断面図である。
【図１６】図１６は本発明の実施の形態１に係る流量計付切替コックで使用する流量計本体を示す一部切欠き断面図である。
【図１７】図１７は本発明の実施の形態１に係る流量計付切替コックで使用する流量計本体を示す一部切欠き分解図である。
【図１８】図１８は本発明の実施の形態１に係る流量計付切替コックの羽根車を示す正面図である。
【図１９】図１９は本発明の実施の形態１に係る流量計付切替コックの第１の整流器を示し、（ａ）は上流側から見た背面図、（ｂ）は下流側から見た正面図である。
【図２０】図２０は本発明の実施の形態１に係る流量計付切替コックのストレーナを示し、（ａ）は側面図、（ｂ）は正面図である。
【図２１】図２１は本発明の実施の形態１に係る流量計付切替コックの第２の整流器を示し、（ａ）は上流側から見た背面図、（ｂ）は下流側から見た正面図である。
【図２２】図２２は本発明の実施の形態１に係る流量計付切替コックの制御基板を示すブロック図である。
【図２３】図２３は本発明の実施の形態２に係る流量計付吐水装置としての流量計付フレキ吐水管を浄活水器に取付けた状態を示す斜視図である。
【図２４】図２４は本発明の実施の形態２に係る流量計付吐水装置としての流量計付フレキ吐水管を示す斜視図である。
【図２５】図２５は本発明の実施の形態２に係る流量計付吐水装置としての流量計付フレキ吐水管を示す平面図である。
【図２６】図２６は本発明の実施の形態２に係る流量計付吐水装置としての流量計付フレキ吐水管を示す正面図である。
【図２７】図２７は本発明の実施の形態２に係る流量計付吐水装置としての流量計付フレキ吐水管を示す側面図である。
【図２８】図２８は本発明の実施の形態２に係る流量計付吐水装置としての流量計付フレキ吐水管を示す側面の断面図である。
【図２９】図２９は本発明の実施の形態３に係る浄活水器用流量計を浄活水器に取付けた状態を示す斜視図である。
【図３０】図３０は本発明の実施の形態４に係る流量計付吐水装置としてのアンダーシンク型浄活水器用流量計付水栓を示す斜視図である。
【図３１】図３１は本発明の実施の形態５に係る流量計付吐水装置としての流量計付切替コックにおいて切替ハンドルを浄水位置に回転した状態を示す斜視図である。
【符号の説明】
５：浄活水器、１０：コック本体、１１：原水流入口、１２：原水吐出口
１２ａ：原水ストレート吐出口、１２ｂ：原水シャワー吐出口
１６：原水供給通路、１７：原水ストレート吐出通路（原水吐出通路）
１８：原水シャワー吐出通路（原水吐出通路）、３５：切替ハンドル（通路切替手段）
１１０，２１０：本体ケース、１１１，２１１：浄活水流入口
１１２，２１２：浄活水吐出口、１１３，２１３：浄活水通路
１２０：流量計ユニット、１２１：羽根車ケース、１２５：羽根車
１２９：磁性部、１３０：第１の整流器（整流手段）
１３５：第２の整流器（整流手段）、１４１：流量センサ
１５１：マイコン（設定手段、演算手段）、１５２：操作部（設定手段）
１５４：液晶表示部（表示手段）、２３３：フレキ吐水管
３１０：切替コック部、３１５：切替ハンドル（通路切替手段）
３２１：原水流入管、３２２：原水供給管、３２３：浄活水供給管
【図１】
2004183247.tif 000003
【図２】
2004183247.tif 000004
【図３】
2004183247.tif 000005
【図４】
2004183247.tif 000006
【図５】
2004183247.tif 000007
【図６】
2004183247.tif 000008
【図７】
2004183247.tif 000009
【図８】
2004183247.tif 000010
【図９】
2004183247.tif 000011
【図１０】
2004183247.tif 000012
【図１１】
2004183247.tif 000013
【図１２】
2004183247.tif 000014
【図１３】
2004183247.tif 000015
【図１４】
2004183247.tif 000016
【図１５】
2004183247.tif 000017
【図１６】
2004183247.tif 000018
【図１７】
2004183247.tif 000019
【図１８】
2004183247.tif 000020
【図１９】
2004183247.tif 000021
【図２０】
2004183247.tif 000022
【図２１】
2004183247.tif 000023
【図２２】
2004183247.tif 000024
【図２３】
2004183247.tif 000025
【図２４】
2004183247.tif 000026
【図２５】
2004183247.tif 000027
【図２６】
2004183247.tif 000028
【図２７】
2004183247.tif 000029
【図２８】
2004183247.tif 000030
【図２９】
2004183247.tif 000031
【図３０】
2004183247.tif 000032
【図３１】
2004183247.tif 000033